【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
受聴位置の前方中央に位置しＣチャンネル音声を出力可能なセンタースピーカーと、前記センタースピーカーの左右両側に位置しＬチャンネル音声及びＲチャンネル音声を出力可能な左前方スピーカー及び右前方スピーカーと、前記受聴位置の左右両側に位置しＳＬチャンネル音声及びＳＲチャンネル音声を出力可能な左右リアスピーカーとで構成される、５．１チャンネル音場方式の音声信号を出力可能なスピーカーシステムと、
前記５．１チャンネル音場方式に対応する音声情報に、前記受聴位置の左右両後方に位置する左後方スピーカー及び右後方スピーカーから出力されるＳＢＬチャンネル音声情報及びＳＢＲチャンネル音声情報を加えた、７．１チャンネル音場方式に対応した音声情報を出力する外部機器と、を接続可能な音声信号再生装置であって、
前記外部機器が７．１チャンネル音場方式に対応可能であると認証できた場合には前記外部機器に対して７．１チャンネル音場方式に対応した音声情報を送出するように指示するとともに、前記外部機器から伝送される７．１チャンネル音場方式に対応した音声情報を出力する通信部と、
前記通信部から出力される７．１チャンネル音場方式に対応した音声情報に基づき、５．１チャンネル音場方式に対応した音声情報を生成する制御部とを備え、
前記制御部は、
前記外部機器から伝送されるＬチャンネル音声情報とＳＬチャンネル音声情報とを合成して、前記左前方スピーカーから出力するための音声情報を生成し、
前記外部機器から伝送されるＲチャンネル音声情報とＳＲチャンネル音声情報とを合成して、前記右前方スピーカーから出力するための音声情報を生成し、
前記外部機器から伝送されるＳＢＬチャンネル音声情報とＳＬチャンネル音声情報とを合成して、前記左リアスピーカーから出力するための音声情報を生成し、
前記外部機器から伝送されるＳＢＲチャンネル音声情報とＳＲチャンネル音声情報とを合成して、前記右リアスピーカーから出力するための音声情報を生成する、音声信号再生装置。
【請求項２】
前記制御部は、
前記Ｌチャンネル音声情報と前記ＳＢＬチャンネル音声情報とに、前記ＳＬチャンネル音声情報を所定の割合で加算し、
前記Ｒチャンネル音声情報と前記ＳＢＲチャンネル音声情報とに、前記ＳＲチャンネル音声情報を所定の割合で加算する、請求項１記載の音声信号再生装置。
【請求項３】
前記制御部は、
前記所定の割合を可変可能に構成した、請求項２記載の音声信号再生装置。
【請求項４】
受聴位置の前方中央に位置しＣチャンネル音声を出力可能なセンタースピーカーと、前記センタースピーカーの左右両側に位置しＬチャンネル音声及びＲチャンネル音声を出力可能な左前方スピーカー及び右前方スピーカーと、前記受聴位置の左右両側に位置しＳＬチャンネル音声及びＳＲチャンネル音声を出力可能な左右リアスピーカーとで構成される、５．１チャンネル音場方式の音声信号を出力可能なスピーカーシステムと、
前記５．１チャンネル音場方式に対応する音声情報に、前記受聴位置の左右両後方に位置する左後方スピーカー及び右後方スピーカーから出力されるＳＢＬチャンネル音声情報及びＳＢＲチャンネル音声情報を加えた、７．１チャンネル音場方式に対応した音声情報を出力する外部機器を接続可能な音声信号再生装置と、を備えた音声信号再生システムであって、
前記音声信号再生装置は、
前記外部機器が７．１チャンネル音場方式に対応可能であると認証できた場合には前記外部機器に対して７．１チャンネル音場方式に対応した音声情報を送出するように指示するとともに、前記外部機器から伝送される７．１チャンネル音場方式に対応した音声情報を出力する通信部と、
前記通信部から出力される７．１チャンネル音場方式に対応した音声情報に基づき、５．１チャンネル音場方式に対応した音声情報を生成する制御部とを備え、
前記制御部は、
前記外部機器から伝送されるＬチャンネル音声情報とＳＬチャンネル音声情報とを合成して、前記左前方スピーカーから出力するための音声情報を生成し、
前記外部機器から伝送されるＲチャンネル音声情報とＳＲチャンネル音声情報とを合成して、前記右前方スピーカーから出力するための音声情報を生成し、
前記外部機器から伝送されるＳＢＬチャンネル音声情報とＳＬチャンネル音声情報とを合成して、前記左リアスピーカーから出力するための音声情報を生成し、
前記外部機器から伝送されるＳＢＲチャンネル音声情報とＳＲチャンネル音声情報とを合成して、前記右リアスピーカーから出力するための音声情報を生成する、音声信号再生システム。
【手続補正２】
【補正対象書類名】明細書
【補正対象項目名】０００９
【補正方法】変更
【補正の内容】
【０００９】
本発明の音声信号再生装置は、受聴位置の前方中央に位置しＣチャンネル音声を出力可能なセンタースピーカーと、前記センタースピーカーの左右両側に位置しＬチャンネル音声及びＲチャンネル音声を出力可能な左前方スピーカー及び右前方スピーカーと、前記受聴位置の左右両側に位置しＳＬチャンネル音声及びＳＲチャンネル音声を出力可能な左右リアスピーカーとで構成される５．１チャンネル音場方式の音声信号を出力可能なスピーカーシステムと、前記５．１チャンネル音場方式に対応する音声情報に、前記受聴位置の左右両後方に位置する左後方スピーカー及び右後方スピーカーから出力されるＳＢＬチャンネル音声情報及びＳＢＲチャンネル音声情報を加えた、７．１チャンネル音場方式に対応した音声情報を出力する外部機器と、を接続可能な音声信号再生装置であって、前記外部機器が７．１チャンネル音場方式に対応可能であると認証できた場合には前記外部機器に対して７．１チャンネル音場方式に対応した音声情報を送出するように指示するとともに、前記外部機器から伝送される７．１チャンネル音場方式に対応した音声情報を出力する通信部と、前記通信部から出力される７．１チャンネル音場方式に対応した音声情報に基づき、５．１チャンネル音場方式に対応した音声情報を生成する制御部とを備え、前記制御部は、前記外部機器から伝送されるＬチャンネル音声情報とＳＬチャンネル音声情報とを合成して、前記左前方スピーカーから出力するための音声情報を生成し、前記外部機器から伝送されるＲチャンネル音声情報とＳＲチャンネル音声情報とを合成して、前記右前方スピーカーから出力するための音声情報を生成し、前記外部機器から伝送されるＳＢＬチャンネル音声情報とＳＬチャンネル音声情報とを合成して、前記左リアスピーカーから出力するための音声情報を生成し、前記外部機器から伝送されるＳＢＲチャンネル音声情報とＳＲチャンネル音声情報とを合成して、前記右リアスピーカーから出力するための音声情報を生成するものである。
【手続補正３】
【補正対象書類名】明細書
【補正対象項目名】００１０
【補正方法】変更
【補正の内容】
【００１０】
本発明の音声信号再生システムは、受聴位置の前方中央に位置しＣチャンネル音声を出力可能なセンタースピーカーと、前記センタースピーカーの左右両側に位置しＬチャンネル音声及びＲチャンネル音声を出力可能な左前方スピーカー及び右前方スピーカーと、前記受聴位置の左右両側に位置しＳＬチャンネル音声及びＳＲチャンネル音声を出力可能な左右リアスピーカーとで構成される５．１チャンネル音場方式の音声信号を出力可能なスピーカーシステムと、前記５．１チャンネル音場方式に対応する音声情報に、前記受聴位置の左右両後方に位置する左後方スピーカー及び右後方スピーカーから出力されるＳＢＬチャンネル音声情報及びＳＢＲチャンネル音声情報を加えた、７．１チャンネル音場方式に対応した音声情報を出力する外部機器を接続可能な音声信号再生装置と、を備えた音声信号再生システムであって、前記音声信号再生装置は、前記外部機器が７．１チャンネル音場方式に対応可能であると認証できた場合には前記外部機器に対して７．１チャンネル音場方式に対応した音声情報を送出するように指示するとともに、前記外部機器から伝送される７．１チャンネル音場方式に対応した音声情報を出力する通信部と、前記通信部から出力される７．１チャンネル音場方式に対応した音声情報に基づき、５．１チャンネル音場方式に対応した音声情報を生成する制御部とを備え、前記制御部は、前記外部機器から伝送されるＬチャンネル音声情報とＳＬチャンネル音声情報とを合成して、前記左前方スピーカーから出力するための音声情報を生成し、前記外部機器から伝送されるＲチャンネル音声情報とＳＲチャンネル音声情報とを合成して、前記右前方スピーカーから出力するための音声情報を生成し、前記外部機器から伝送されるＳＢＬチャンネル音声情報とＳＬチャンネル音声情報とを合成して、前記左リアスピーカーから出力するための音声情報を生成し、前記外部機器から伝送されるＳＢＲチャンネル音声情報とＳＲチャンネル音声情報とを合成して、前記右リアスピーカーから出力するための音声情報を生成するものである。